(57)【要約】【課題】個々のユーザの要求に、より合致した栄養補助食品を、より低価格に提供する。【解決手段】栄養補助食品の提供システムとしてのバー状食品提供システム１を、情報受付部１０１、レシピ生成部１０２、製造指示部１０３、情報送信部１０４、製品発送対応部１０５及び記憶部１０６を備える提供装置１０と、製造装置２０と、携帯端末３０と、提供装置１０及び携帯端末３０を接続する通信ネットワーク２とを有して構成する。ユーザからの属性、目的等の入力情報を情報受付部１０１が受信し、入力情報及び記憶部１０６のマスタ情報に基づいてレシピ生成部１０２がレシピを生成し、製造指示部１０３が製造装置２０にバー状食品の製造を指示する。この指示によって製造装置２０によりバー状食品が製造され、包装された後、宛名が付されてユーザに発送される。【選択図】図２
2018045578.tif 000002
【特許請求の範囲】
【請求項１】
ユーザ端末と通信ネットワークを介して接続される提供部と、
栄養補助食品のレシピ情報を生成するレシピ生成部と、を備え、
前記提供部は、
栄養補助成分及び分量を含む前記栄養補助食品の原料に関する情報が、ユーザの属性又は目的ごとに関連付けられて記憶される記憶部と、
前記レシピ情報を前記ユーザ端末に向けて送信する情報送信部と、を有し、
前記レシピ生成部は、前記ユーザ端末から入力される属性又は目的に基づいて、前記記憶部から前記原料及びその分量を抽出し、レシピ情報を生成することを特徴とする栄養補助食品の提供システム。
【請求項２】
前記提供部は、前記レシピ情報に基づいて、栄養補助食品の製造指示を出力する製造指示部と、
前記ユーザ端末からの注文の指示を受付ける情報受付部と、
前記注文に応じて、前記栄養補助食品を前記ユーザに発送する製品発送対応部と、を備えていることを特徴とする請求項１に記載の栄養補助食品の提供システム。
【請求項３】
前記属性が、年齢、性別、子供、成人女性、成人男性、シニア女性、シニア男性、アスリートの少なくともいずれかを含み、前記目的が、おやつ、スイーツ、美容、ダイエット、体力増強、疲労回復、アンチエイジング、ヘルスケア、男性力維持、健康食、栄養補助食の少なくともいずれかを含むことを特徴とする請求項１または２に記載の栄養補助食品の提供システム。
【請求項４】
前記栄養補助食品が、バー状食品であることを特徴とする請求項１〜３のいずれか一項に記載の栄養補助食品の提供システム。
【請求項５】
前記栄養補助食品が、サプリメントであることを特徴とする請求項１〜３のいずれか一項に記載の栄養補助食品の提供システム。
【請求項６】
コンピュータを、
ユーザの属性及び目的ごとに、栄養補助成分及び分量を含む栄養補助食品の原料に関する情報を記憶する記憶手段と、
前記属性及び前記目的を取得する情報受付手段と、
前記属性又は前記目的に基づいて、前記記憶部から前記原料及び分量を抽出し、レシピを生成するレシピ生成手段と、
前記レシピ情報を出力する情報送信手段と、
前記レシピ情報に基づいて栄養補助食品の製造指示を出力する製造指示手段として機能させるためのプログラム。
【発明の詳細な説明】
【技術分野】
【０００１】
本発明は、栄養補助食品の提供システム及びプログラムに関する。
【背景技術】
【０００２】
近年、栄養補助食品として、複数のビタミン、ミネラル、タンパク質、脂質などの栄養源を含有させたスティック状、バー状、板状、液状等の食品が広く普及している。また、不足した成分を補うためのサプリメントのカプセル、錠剤等も広く普及している。このような栄養補助食品は、ダイエット、筋力アップ、健康維持などの目的に合わせて様々な種類が販売され、薬局や販売店などに陳列されている。
【０００３】
ユーザの好みに合致した製品を選択するためには、より多くの種類の製品を取り揃えておくことが望ましいが、ユーザが製品を選ぶのに迷ってしまい、逆に購買意欲を減退させる場合があった。また、販売店側でも、多くの製品を陳列する場所を広く確保する必要があったり、売れ残りを生じたりするおそれもあった。
【０００４】
また、１つの製品では必要な成分すべてを含むとは限らないため、複数の製品を選択する必要があり、購入金額が嵩むとともに、複数の製品で重複する成分を不必要に摂取してしまうこともある。また、病歴やアレルギー等によってユーザが摂取できない成分もあるし、味や匂い等のユーザの好みに左右されることもある。したがって、既製の栄養補助食品では、個々人の体質、体調、目的により合致した製品を提供することには限界があった。
【０００５】
そこで、ユーザが複数の質問に回答することで、ユーザの症状、目的、好み、予算等に応じたサプリメントを調合して提供する、いわゆるオーダーメイドのサプリメント調合システムが提案されている（例えば、特許文献１、２参照）。これらの従来技術では、複数の質問に対する回答に基づいて、ユーザに好適なサプリメントを１つ又は複数組み合わせて自動的に分包して提供したり、その組み合わせをユーザに情報として提供したりしている。
【先行技術文献】
【特許文献】
【０００６】
【特許文献１】特開２００４−２７２６１８号公報
【特許文献２】特開２００７−５８６９３号公報
【発明の概要】
【発明が解決しようとする課題】
【０００７】
しかしながら、上記従来公知の発明では、既存のサプリメントの中から１つ又は複数組み合わせているため、成分の微調整などが困難である。また、既存のサプリメントを複数用意する必要があるため、原材料を用いる場合に比べて材料費が嵩み、ユーザへの提供価格を低減するのは限界があった。
【０００８】
本発明は、上記の事情に鑑みて為されたもので、個々のユーザの要求に、より合致した栄養補助食品を、より低価格に提供することを可能とするものである。
【課題を解決するための手段】
【０００９】
上記の目的を達成するため、本願に係る栄養補助食品の提供システムは、ユーザ端末と通信ネットワークを介して接続される提供部と、栄養補助食品のレシピ情報を生成するレシピ生成部と、を備え、前記提供部は、栄養補助成分及び分量を含む前記栄養補助食品の原料に関する情報が、ユーザの属性又は目的ごとに関連付けられて記憶される記憶部と、前記レシピ情報を前記ユーザ端末に向けて送信する情報送信部と、を有し、前記レシピ生成部は、前記ユーザ端末から入力される属性又は目的に基づいて、前記記憶部から前記原料及びその分量を抽出し、レシピ情報を生成する。
【００１０】
また、本願のプログラムは、コンピュータを、ユーザの属性及び目的ごとに、栄養補助成分及び分量を含む栄養補助食品の原料に関する情報を記憶する記憶手段と、前記属性及び前記目的を取得する情報受付手段と、前記属性又は前記目的に基づいて、前記記憶部から前記原料及び分量を抽出し、レシピを生成するレシピ生成手段と、前記レシピ情報を出力する情報送信手段と、前記レシピ情報に基づいて栄養補助食品の製造指示を出力する製造指示手段として機能させるためのプログラムである。
【発明の効果】
【００１１】
本発明によれば、個々のユーザの要求等に、より合致した栄養補助食品を、より低価格に提供することができる。
【図面の簡単な説明】
【００１２】
【図１】実施例１に係る栄養補助食品の提供システムとしてのバー状食品提供システムの全体構成を示す概略図である。
【図２】図１に示す提供装置の機能構成例を示すブロック図である。
【図３】実施例１のバー状食品提供システムで実行されるバー状食品提供処理の流れの一例を示すフローチャートである。
【図４】カスタマイズのシミュレーションの流れを説明するための説明図であり、（ａ）は各原料の選択肢と選択の流れを示す概略図であり、（ｂ）は栄養補助成分の選択手順を説明するための説明図であり、（ｃ）は甘味の選択手順を説明するための説明図である。
【図５】個装袋やラベル等へ印刷するデザインの選択イメージと、個装袋で包装されたバー状食品及びラベルが貼付されたサプリメントのボトルのイメージを表した図である。
【図６】表示部に表示されるカルテ情報の表示例を示す概略図である。
【図７】実施例２に係る栄養補助食品の提供システムとしてのサプリメント提供システムで実行されるサプリメント提供処理の流れの一例を示すフローチャートである。
【図８】栄養補助成分を、機能、目的から選択する場合の表示部への表示例を示す概略図である。
【図９】栄養補助成分を、標準レシピから選択する場合の表示部への表示例を示す概略図である。
【図１０】栄養補助成分を、Ｍｙカルテから選択する場合の表示部への表示例を示す概略図である。
【図１１】栄養補助成分を、ビッグデータから選択する場合の表示部への表示例を示す概略図である。
【発明を実施するための形態】
【００１３】
（実施例１）
以下に、本願に係る栄養補助食品の提供システムの一実施例としてのバー状食品提供システムについて、図面を参照しながら説明する。図１に示すように、実施例１に係るバー状食品提供システム１は、バー状食品提供システム１全体を制御する提供装置１０と、バー状食品を製造する製造装置２０と、ユーザ端末としての携帯端末３０とを備えて構成されている。提供装置１０と携帯端末３０は、通信ネットワーク２を介して互いに接続されている。
【００１４】
実施例１のバー状食品提供システム１は、バー状食品の購入を希望するユーザが、携帯端末３０によって提供装置１０にアクセスし、必要な情報を入力することで、ユーザに適したバー状食品のレシピが生成され、レシピに沿ったバー状食品が製造装置２０によって製造されてユーザに提供されるシステムである。
【００１５】
提供装置１０は、ＣＰＵ、ＲＯＭ、ＲＡＭ、ハードディスクやフラッシュメモリ等の不揮発性ストレージ、ネットワークインタフェース等を有するパーソナルコンピュータ（ＰＣ）等の演算装置からなる。また、提供装置１０は、液晶ディスプレイ等の表示部１１、キーボードやマウス等の入力部１２、プリンタ等の出力部１３等を備えている。
【００１６】
なお、提供装置１０がＰＣに限定されることはなく、汎用大型コンピュータ（メインフレーム）等を用いることもできる。また、クラウドコンピューティングサービス（クラウド）を利用したり、自社サーバを使用したりすることもできる。
【００１７】
製造装置２０は、バー状食品を製造する装置であり、提供装置１０の制御によって、レシピ情報に基づいて、原料の投入、混合、成形、加熱、包装まで、一貫して行う装置等を用いることができる。また、個別包装された製品を、注文に応じた数だけ梱包用段ボール等に箱詰めまで行える装置や、さらには発送伝票印刷や貼付まで行える装置を用いることもできる。また、製造装置２０が制御部を有し、提供装置１０で生成したレシピに基づいて、制御部の制御によってバー状食品を製造する装置を用いることもできる。
【００１８】
携帯端末３０としては、本実施例では、スマートフォン３０ａ、ノートＰＣ３０ｂを用いているが、これらに限定されることはなく、携帯電話、モバイル端末、ディスクトップ型ＰＣを用いることもできる。携帯端末３０は、タッチパネルやキーボード、マウス、音声入力システム等の入力部３１、液晶モニタ等の表示部３２、通信ネットワーク２との通信インタフェース等を有している。
【００１９】
携帯端末３０には、例えば、各種ブラウザソフトや、バー状食品提供のサービスを利用するために作成されたアプリケーションソフト等がインストールされており、これらを用いて提供装置１０にアクセスすることができる。
【００２０】
次に、提供装置１０の機能構成について、図２の機能ブロック図を用いて説明する。図２に示すように、提供装置１０は、情報受付部１０１、レシピ生成部１０２、製造指示部１０３、情報送信部１０４、製品発送対応部１０５、記憶部１０６等を備えている。
【００２１】
情報受付部１０１は、携帯端末３０から送信されるユーザの入力情報を受信する機能を有する。レシピ生成部１０２は、情報受付部１０１で取得した入力情報及び記憶部１０６に記憶された各種情報に基づいて、ユーザに適した成分や分量を選択してバー状食品のカスタマイズのシミュレーションを行うとともに、シミュレーション結果に基づいて、バー状食品を製造用のレシピ情報を生成する機能を有する。レシピ（処方箋）情報として、ここではバー状食品に配合する栄養補助成分や生地等の原料、その配合量、効能、カロリー、価格等や、製造手順（調理手順）等の情報を含んでいる。
【００２２】
製造指示部１０３は、レシピ生成部１０２で生成したレシピ情報に基づいて、製造装置２０にバー状食品の製造を指示する機能を有する。より具体的には、本実施例１では、製造指示部１０３はレシピ情報に基づいてバー状食品製造プログラムを作成し、該プログラムに従って製造装置２０を作動させる。または、予め製造装置２０にインストールされたバー状食品製造プログラムに、成分や分量、製造手順等のパラメータを入力することで、製造装置２０を作動させる。
【００２３】
情報送信部１０４は、レシピ生成部１０２で生成したシミュレーション結果やレシピ情報等を携帯端末３０に送信する機能を有する。製品発送対応部１０５は、製造装置２０によって製造されたバー状食品をユーザに発送する機能を有する。具体的には、製品発送対応部１０５は、ユーザの氏名、送付先住所等の個人情報や販売履歴等の管理を行うとともに、発送する荷物に貼り付ける宛名書きや伝票等をプリンタで印刷する。なお、宛名書きや伝票の荷物のへの貼り付けまで自動で行うことができる製造装置２０を用いた場合には、製品発送対応部１０５は宛名書き等の印刷は行わず、宛名書き情報を製造装置２０に出力する構成とすることもできる。
【００２４】
記憶部１０６には、バー状食品の製造に用いられる栄養補助成分や生地等の原料、その適正分量や効能等が、属性や目的ごとに、関連付けられて記憶されている。また、属性や目的に応じた栄養補助成分の組み合わせや適性分量、禁忌等が互いに関連付けられて記憶される。以下、予め記憶されたこれらを「マスタ情報」と呼ぶ。マスタ情報は、提供装置１０側で入力部１２から直接入力することができるが、通信ネットワーク２を介して外部からダウンロードしたり、フラッシュメモリ等からコピーしたりして、記憶部１０６に格納することもできる。また、ビッグデータを用いることもできる。また、記憶部１０６には、ユーザにより入力された個人情報、販売履歴情報、生成されたレシピ情報等も記憶される。
【００２５】
以下、上述のような構成の実施例１に係るバー状食品提供システム１によるバー状食品提供処理（バー状食品提供方法）の動作について、図３のフローチャート及び図４のシミュレーションの流れを参照しながら説明する。
【００２６】
まず、ユーザは、携帯端末３０からブラウザ等を介して提供装置１０にアクセスする。または、携帯端末３０にインストールしたバー状食品提供用アプリケーションを立ち上げる。
【００２７】
すると、携帯端末３０の表示部３２に、初めて注文するのか、２回目以降の注文かを選択する画面（初期画面）が表示される。ユーザは、初めて注文する場合や、今までとは異なる処方で新たな製品を注文する場合は、「初めて」を選択する。この選択により、図３のフローで示す処理が開始される。これに対して、「２回目以降」を選択すると、前回のカルテ情報に基づいた処理が開始される。
【００２８】
「初めて」を選択すると、表示部３２に、「属性」の選択画面が表示される（ステップＳ１０）。「属性」とは、ユーザの年齢や性別等に応じた性質である。実施例１では、図４（ａ）の「１．属性」に示されるように、子供を表す「キッズ」、「成人女性」、「成人男性」、「シニア女性」、「シニア男性」、「アスリート」等の選択肢が表示される。このように「属性」を選択するのは、年齢や性別によって必要な栄養補助成分や１日当たりの摂取許容量が異なるためである。また、アスリートは、一般人に比べて、エネルギー源や筋肉を造るためのタンパク質源等を多く必要とし、糖質は制限する必要がある等、必要な栄養補助成分や分量が一般人とは異なるためである。
【００２９】
ユーザは、アイコンのタッチ操作やクリック操作によって、属性を選択することができる。図４の例では、「シニア女性」が選択されている。この選択結果及び以降の選択結果は、携帯端末３０から提供装置１０の情報受付部１０１に送信される。属性が入力されることで、原料等に関する膨大な情報の中から、ユーザに必要となる成分や分量及び組み合わせを絞り込むことができる。
【００３０】
次のステップＳ１１では、「目的」の選択画面が表示される。実施例１では、「目的」として、図４（ａ）の「２．目的」に示されるように、「おやつ・スイーツ」、「美容・ダイエット」、「体力増強・疲労回復」、「アンチエイジング・ヘルスケア」、「アンチエイジング・男性力維持」、「健康食・栄養補助食」等の選択肢が表示される。このように「目的」を選択することによっても、必要となる成分や分量及び組み合わせを、さらに絞り込むことができる。図４の例では、「アンチエイジング・ヘルスケア」が選択されている。
【００３１】
以降のステップＳ１２−Ｓ１６では、バー状食品の原料の選択画面が順次表示され、ユーザが好みの原料を選択することができる。これらの原料は、上記「属性」、「目的」をキーとして、レシピ生成部１０２が記憶部１０６から読み出して表示する。記憶部１０６から、「属性」、「目的」別に、好適な原料及び分量、エネルギー量や単価等が読み出される。
【００３２】
まず、ステップＳ１２では、バー状食品のベースとなる「生地ベース」の選択画面が表示される。実施例１では、「生地ベース」として、図４（ａ）の「３．生地ベース」に示されるように、「グラノーラ」、「プロテイン」、「ソイ」（大豆、おから）、「グルテンフリー」（グルテンが少ないか、少なく調整した生地）、「クッキー」等の選択肢が表示される。なお、選択肢がこれらに限定されることはなく、「属性」、「目的」に対応して適宜選択肢を変えて表示することができる。以降の原料についても同様である。
【００３３】
ユーザは、好みに応じた生地ベースを選択することができる。図４（ａ）の例では、「ソイ」が選択されている。なお、上記複数の生地ベースの中から、先に選択した「属性」及び「目的」に好適なものを抽出して表示することもできる。例えば、図４の例では「シニア女性」で「アンチエイジング・ヘルスケア」を選択しているので、女性ホルモンに対する効果があるとされる大豆成分を摂取することが好ましい。そのため、「ソイ」のみを表示したり、「ソイがお勧めです」等のメッセージを表示したり、「ソイ」を他の生地ベースとは異なる目立つ色等で表示したりすることも好適である。
【００３４】
また、同じ原料であっても、複数の品を揃えて、属性や目的別に選択することもできる。例えば、複数のプロテイン材料を用意しておき、属性が「アスリート」の場合は、より高純度のプロテインを使用し、それ以外の属性の場合は、アスリート用よりも安価なプロテインを使用するようにすることもできる。
【００３５】
次に、ステップＳ１３では「栄養補助成分」の選択画面が表示される。図４（ａ）の例では「ビタミン」、「ミネラル」、「アミノ酸」、「ペプチド」、「ポリフェノール」、「フラボノイド」、「カロテノイド」、「食物繊維」、「その他」が選択肢として表示されるが、これらに限定されることはない。なお、「その他」としては、例えば、図４（ｂ）に示すように、「シニア女性」、「アンチエイジング・ヘルスケア」に対応させて「コンドロイチン」を表示している。
【００３６】
そして、図４（ａ）の例では、「栄養補助成分」として「ビタミン」、「ミネラル」、「その他」が選択されている。また、実施例１では、図４（ｂ）に示すように、「属性」、「目的」に対応して、ビタミンの一覧と、標準的な分量を表示する構成としている。また、この一覧からユーザが必要な成分を選択できるとともに、より効果を高める等の目的で、分量（注文量）を増減できるようになっている。
【００３７】
次のステップＳ１４では、「甘味」の選択画面が表示される。図４（ａ）の例では、「てんさい糖」、「はちみつ」、「メイプルシロップ」、「アガベ」、「水飴」が選択肢として表示されるが、これらに限定されることはない。図４（ａ）の例では、「水飴」が選択されている。また、この場合も、図４（ｃ）に示すように、水飴の分量を増減できるようになっている。「甘味」を添加することで、バー状食品の味を向上させることができる。なお、味よりもカロリーを気にする場合は、図４（ｃ）の分量を０にすることで、「甘味」を添加しないようにすることもできる。
【００３８】
また、ステップＳ１５では、「フレーバー」の選択画面が表示される。図４（ａ）の例では、「チョコレート」、「ビターチョコレート」、「ホワイトチョコレート」、「アップルシナモン」、「ココナッツミルク」、「抹茶」が選択肢として表示され、この場合では「チョコレート」が選択されている。「フレーバー」とは、香味や風味を表し、食品をより美味しく摂取するために有効な成分である。
【００３９】
次いで、ステップＳ１６では、「トッピング」の選択画面が表示される。図４（ａ）の例では、「ドライフルーツ」、「オレンジピール」、「アサイー＆ブルーベリー」、「シード」、「スライスアーモンド」、「ミックスナッツ」が選択肢として表示されるが、これらに限定されることはない。図４（ａ）の例では、「スライスアーモンド」が選択されている。「トッピング」の添加により、バー状食品の風味や食感を変化させて、より摂取し易くすることができる。
【００４０】
以上のように、すべての成分の選択がされると、選択情報に基づいて、レシピ生成部１０２がカスタマイズのシミュレーション結果を作成する。そのため、レシピ生成部１０２は、選択された成分と分量に基づいて、一食当たりのエネルギー量（カロリー）と、単価を計算する。そして、シミュレーション結果として、例えば、図４（ａ）に示すように、バー状食品の種類、オリジナルの名称、原料名、エネルギー、単価を表示部３２に表示する。また、実施例１では、最後にユーザ名も入力できるようにしているため、シミュレーション結果にユーザ名も表示することで、既製品ではなくユーザオリジナルの製品であることを強調することができる。
【００４１】
また、表示部３２には、シミュレーション結果とともに、注文画面に進むアイコン等を表示する。
【００４２】
ユーザは、シミュレーション結果を見て、購入を検討することができる。成分、エネルギー、価格等に満足できない場合は、ステップＳ１２に戻って、原料の選択をやり直すことができる。或いはステップＳ１１に戻って、属性から選択し直すこともできる。
【００４３】
ユーザがシミュレーション結果に満足して、注文をする場合は、表示部３２上で注文用のアイコンをタッチ操作することにより、注文画面に進むことができる。注文画面には、例えば、必要な個数を入力する欄や、送付先住所、名前、電話番号等の個人情報や、支払方法等を入力する欄が設けられている。ユーザがこれらの欄に情報を入力して、注文確定用アイコン等をタッチ操作することで、これらの情報が提供装置１０の情報受付部１０１に送信される。
【００４４】
また、この注文の際に、個装袋や個装箱、ラベル等のデザインを選択したり、オリジナルのデザインを作成したりする構成とすることもできる。例えば、図５に示すように、複数のデザイン画やモチーフを用意しておき、ユーザに選択させたり、選択したデザイン画の配置や色を変えたり、モチーフを組み合わせてオリジナルデザインを作成する構成や、さらに名前やメッセージを入力できるような構成とすることができる。また、画面上でお絵かきソフト等によってユーザがオリジナルデザインを作成できる構成や、携帯端末３０から写真や画像等をアップロードできる構成とすることもできる。
【００４５】
注文を受付けると、レシピ生成部１０２は、シミュレーション結果に基づいて、必要な成分とその分量、製造手順等の詳細なレシピ情報を生成する（ステップＳ１９）。また、レシピ情報とユーザ情報とを関連付けて、カルテ情報として記憶部１０６に記憶する。このとき、ユーザＩＤやパスワード等を発行することで、セキュリティを確保できるとともに、２回目以降の注文等を円滑に行うことができる。また、個装袋等のオリジナルデザインが作成された場合は、プリンタ等の出力部１３で個装袋にデザインを印刷し、製造装置２０にセットする。個装袋へのデザインの印刷は、製造装置２０で行ってもよい。
【００４６】
次いで、製造指示部１０３は、製造装置２０に対してバー状食品の製造指示を送信する（ステップＳ２０）。この指示を受付けた製造装置２０は、レシピ情報に基づいて、原料を選択し、計量して装置内に投入する。この投入された原料を混合、成形、加熱等して、バー状食品を製造する（ステップＳ２１）。なお、例えば熱に弱いビタミンなどを添加する場合は、栄養補助成分を壊さないように、その性質に応じた製法で製造することが好ましい。製造されたバー状食品は、製造装置２０にて自動的に個別包装される（ステップＳ２２）。
【００４７】
バー状食品の製造が完了すると、ステップＳ２３で、製品発送対応部１０５が、バー状食品の発送処理を行う。具体的には、ユーザオリジナルのレシピ情報や個数等の注文情報、説明書、請求書、カード決済等の場合は利用明細書等を印刷する。また、ユーザの名前や住所、製造元の宛名ラベルや発送伝票を印刷する。そして、梱包用段ボール等によってバー状食品を梱包し、宛名ラベル等を貼付けた後、ユーザに発送する。以上により、ユーザの属性や目的に合致したバー状食品を、迅速にユーザに届けることができる。
【００４８】
また、初期画面で、「２回目以降」を選択した場合には、例えば、ユーザＩＤとパスワードを入力する画面が表示される。これらを入力すると、提供装置１０では、記憶部１０６から当該ユーザのカルテ情報を読み出して、図６のようなカルテ画面を表示部３２に表示する。ユーザは、カルテ情報を確認して、前回と同じバー状食品を注文することができる。よってユーザに適したオリジナルのバー状食品を、より簡易かつ迅速に提供することができる。
【００４９】
以上、実施例１のバー状食品提供システム１によれば、ユーザの属性や目的により適した栄養補助成分やその他の原料を選択し、ユーザにより適した分量でバー状食品を製造することができる。また、ユーザが好みや目的に応じて自由に栄養補助成分やその分量を選択することができる。また、既製の製品を用いることなく、原料から選択してバー状食品を製造することで、材料費等のコストを低減することができる。また、カロリーや単価等も表示することで、ユーザは予算等に応じて適宜調整することができる。したがって、個々のユーザの要求等に、より合致したバー状食品を、より低価格に提供することができる。
【００５０】
また、属性、目的を指定していくことで、必要な栄養補助成分や分量を絞り込むことができ、ユーザが迷うことなく、より迅速かつ的確に栄養補助成分を選択することができる。よって、より簡易なバー状食品提供システム１を提供することができる。
【００５１】
また、メッセージを入れたり、個装袋やラベルのオリジナルデザインを作成したりすることで、より嗜好性に優れ、ユーザの購買意欲を増進させることができる。また、他にはないオリジナルの製品を入手できるので、ユーザの満足感も向上する。また、自分のためだけでなく、プレゼント等にも好適なバー状食品を提供することができる。また、個人ユーザだけでなく、医師、栄養士、薬剤師、スポーツトレーナー等が、自身の知識や経験等を活かしてオリジナルのバー状食品を容易に製作することができ、患者や生徒等に勧めることもできる。
【００５２】
なお、実施例１では、バー状食品提供システム１としているが、製造装置２０を変えたり、製造プログラム等を変えたりすることで、スティック状や板状に成形した食品等にも適用できる。また、シリアル食品や液体状食品にも適用できる。
【００５３】
また、上記では、「属性」を選択した後に、「目的」を選択して、成分や分量の絞り込みを行っているが、これに限定されることはない。「属性」と「目的」の何れか一つを選択し、その後、ステップＳ１２以降の原料の選択や注文等の処理を行うように構成することもできる。
【００５４】
（実施例２）
次に、実施例２として、サプリメント提供システムについて説明する。このサプリメント提供システムは、図１に示すバー状食品提供システム１において、製造装置２０を、原料の調合、打錠やカプセルへの充填等を自動で行うサプリメント製造装置に代えたこと以外は、実施例１と同一の基本構成を備えている。そのため、実施例２のサプリメント提供システムのシステム構成及び機能構成は、図１、図２を参照することができる。なお、提供装置１０には、サプリメント提供用のプログラムがインストールされている。また、記憶部１０６には、サプリメントの原料となる栄養補助成分や、その他の材料に関するマスタ情報が記憶されている。
【００５５】
以下、実施例２に係るサプリメント提供システムによるサプリメント提供処理（サプリメント提供方法）の動作について、図７のフローチャートを参照しながら説明する。
【００５６】
まず、ユーザは、携帯端末３０からブラウザ等を介して提供装置１０にアクセスする。または、携帯端末３０にインストールしたバー状食品提供用アプリケーションを立ち上げる。
【００５７】
実施例２では、携帯端末３０の表示部３２に、サプリメントの注文方法の選択画面が表示される。具体的には、「機能性」、「標準レシピ」、「Ｍｙカルテ」、「ビッグデータ」の選択肢が表示される。「機能性」は、ユーザが機能や目的に基づいて成分を選択してレシピを作成し、レシピに従って製造されたサプリメントを注文する方式である。「標準レシピ」は、予め用意された標準的なレシピに基づいてサプリメントを注文する方式である。「Ｍｙカルテ」は、過去の注文時のユーザ自身のカルテ情報に基づいてサプリメントを注文する方式である。「ビッグデータ」は、ビッグデータに基づいてユーザに適したサプリメントを注文する方式である。
【００５８】
ステップＳ３１で「機能性」を選択した場合、図８に示すように、機能、目的の選択画面が表示される。例えば、「女性向け」では、「美容・美肌」、「貧血」、「骨粗しょう症」等の選択肢が表示される。そして、図８に点線で示すように「美容・美肌」を選択すると、これをキーにして記憶部１０６から読み出された「コラーゲン」、「セラミド」、「ヒアルロン酸」が、好適な栄養補助成分として表示される。
【００５９】
他の例として、男性機能を改善する目的で「男性機能」を選択した場合は、例えば、「亜鉛」、「ピクノジェノール」、「アルギニン」等が表示される。また、脂肪を減らす目的で「脂肪」を選択した場合は、「分岐鎖アミノ酸」、「α−リポ酸」、「カルニチン」、「シトラス・アランチウム」、「マテ」等が表示される。血糖値を改善する目的で「血糖値」を選択した場合は、「ギムネマ」、「グアガム」、「桑の葉」、「コロハ」、「白いんげん豆抽出物」、「苦瓜」、「ヤーコン」等が表示される。以上のように、機能や目的に応じた適切な栄養補助成分を選択することができる（以上、ステップＳ３５）。
【００６０】
なお、図８では機能や目的を表形式で表示しているが、機能や目的に応じたイラストを表示してもよい。機能や目的を一目で判別することができ、選択を容易に行うことができるとともに、画面のデザイン性が向上し、ユーザが楽しく選択することができる。以降の選択画面においても同様である。
【００６１】
そして、ステップＳ３６に進み、各栄養補助成分の分量を選択することができる。この分量は、上記実施例１で図４（ｂ）を用いて説明したように、標準的な分量が予め表示され、ユーザが分量を増減したり、不要な栄養補助成分を削除したり、新たに追加したりすることができる。その後、ステップＳ３７の形状（剤形）の選択に進む。
【００６２】
一方、ステップＳ３１で「標準レシピ」を選択した場合、図９に示すように、予めレシピが作成され記憶部１０６に記憶されていた標準的なレシピが表示される。これにより、ユーザは自動的に栄養補助成分等の原料及び分量を選択することができる（ステップＳ３５、Ｓ３６）。また、この場合も、標準的な分量が予め表示され、ユーザが分量を増減したり、不要な栄養補助成分を削除したり、新たに追加したりすることができる。その後、ステップＳ３７の形状の選択に進む。
【００６３】
他方、ステップＳ３１で「Ｍｙカルテ」を選択すると、図１０に示すように、ユーザが過去に作成、注文したサプリメントのカルテ情報の一覧が表示される。ユーザは、点線で示すように、一覧の中から、注文を希望するものを選択することができる（ステップＳ３５）。分量や栄養補助成分を変更する場合は、ステップＳ３６において、画面上で分量の増減や栄養補助成分の追加、削除を行う。その後、ステップＳ３７の形状の選択に進む。なお、「Ｍｙカルテ」の場合、カルテの内容を変更する必要がない場合は、ステップＳ３６をスキップすることができる。また、以降のステップＳ３７〜Ｓ３９も、変更がない項目についてはスキップすることができる。
【００６４】
また、ステップＳ３１で「ビッグデータ」を選択すると、図１１に示すように、ビッグデータから抽出した各種レシピが表示され、ユーザが何れかを選択することで、成分の選択（ステップＳ３５）と、分量の選択（ステップＳ３６）が完了する。この場合も、性別や年代等の属性や、目的を入力することで、ビッグデータの中から、ユーザにより好適なレシピを絞り込むことができる。
【００６５】
図１１の例では、「属性」を「３０代前半女性」、目的を「美容」としたときに表示されるレシピを示している。図１１では、人気レシピ１、人気レシピ２として、ヒアルロン酸を主成分とするレシピ、低分子コラーゲンを主成分とするレシピが表示されている。また、人気成分トップ１５の一覧も表示され、好みの成分を選択することで、詳細なレシピを表示することができる。
【００６６】
なお、「ビッグデータ」を選択した場合も、表示された成分や分量を変更したい場合は、適宜修正することができる。その後、ステップＳ３７に進む。
【００６７】
ステップＳ３７では、サプリメントの形状（剤形）を選択する。具体的には、錠剤、丸剤、散剤、顆粒剤、カプセル剤、液剤等から選択することができる。
【００６８】
次のステップＳ３８では、サプリメントの製造量を選択することができる。具体的には、必要なサプリメントの量を、「１カ月分」のように日数で指定したり、「１２０粒」のように数量で指定したりすることができる。また、「３００ｇ」のように重量で指定したり、「一箱」、「一本」のようにパッケージやボトルの数量で指定したりすることができる。
【００６９】
そして、ステップＳ３９では、サプリメントを収容する容器を選択することができる。具体的には、例えば、プラスチックボトル、ガラスビン、紙箱、アルミ袋等を選択することがきる。さらに、容器のサイズや色等を選択することもできる。また、顆粒等を分包する場合は、一般的な分包、スティック状の分包等、分包のタイプを選択することもできる。
【００７０】
以上の選択処理がされると、選択情報に基づいて、レシピ生成部１０２が選択結果（シミュレーション結果）を生成する。そして、実施例１と同様に、レシピ生成部１０２は、選択された成分と分量に基づいて、一日当たりの食当たりのエネルギー量（カロリー）と、単価を計算し、表示する（ステップＳ４０）。
【００７１】
実施例２でも、ユーザは、シミュレーション結果を参照して、注文する場合は注文ボタンを操作して注文することができる。また、先の処理に戻って、シミュレーションをやり直すこともできる。
【００７２】
ユーザの注文を受付けると、ステップＳ４１において、注文処理がされる。実施例２でも、注文画面で送付先住所、名前、電話番号等の個人情報や、支払方法等を入力するように構成することができる。
【００７３】
また、実施例１で図５を用いて説明したように、注文の際に、容器に貼付するラベル等のデザインを選択することや、オリジナルのデザインを作成することもできる。図５の紙面右下に、オリジナルデザインのラベルを貼付した容器のイメージ図を示す。
【００７４】
次いで、ステップＳ４２では、シミュレーション結果に基づいて、レシピ生成部１０２によりレシピ情報が生成され、レシピ情報とユーザ情報とが関連付けられて記憶部１０６に記憶される。また、ラベルデザインがされていた場合は、プリンタ等の出力部１３でラベルが印刷され、製造装置２０にセットされる。または、印刷したラベルを容器に貼付してもよい。
【００７５】
そしてステップＳ４３で製造指示部１０３が製造指示を送信することで、サプリメント製造装置によってサプリメントが製造される（ステップＳ４４）。製造されたサプリメントは、ステップＳ４５の包装処理において、サプリメント製造装置内で自動的にラベルが貼付された容器に詰められる（ステップＳ４５）。
【００７６】
サプリメントの製造が完了すると、ステップＳ４６で、製品発送対応部１０５が、バー状食品の発送処理を行う。具体的には、上記実施例１と同様に、ユーザオリジナルのレシピ情報等の印刷や宛名ラベル等の印刷を行う。そして、梱包用段ボール等によってサプリメントを梱包し、宛名ラベル等を貼付けた後、ユーザに発送する。これにより、ユーザはその属性や目的に合致したサプリメントを迅速にユーザに届けることができる。
【００７７】
以上、実施例２のサプリメント提供システムにおいても、ユーザの属性や目的により適した栄養補助成分及び分量でサプリメントを製造することができる。また、既製のサプリメントを組み合わせるものではなく、原料から選択してサプリメントを製造することで、製造コストを低減することができる。また、カロリーや成分、効能、単価も表示することで、ユーザは予算等に応じて適宜調整することができる。したがって、個々のユーザの要求等に、より合致したサプリメントを、より低価格に提供することができる。
【００７８】
以上、本発明の実施例を図面により詳述してきたが、上記各実施例は本発明の例示にしか過ぎないものであり、本発明は上記各実施例の構成にのみ限定されるものではない。本発明の要旨を逸脱しない範囲の設計の変更等があっても、本発明に含まれることは勿論である。
【００７９】
例えば、上記各実施例において、携帯端末３０として、医師、薬剤師、栄養士、スポーツトレーナー等の携帯端末を含めることもできる。そして、ユーザが、携帯端末３０から質問や相談を入力することで、提供装置１０を介して医師等に質問等を送信し、医師等からの回答を、ユーザに送信するように構成することができる。この構成により、医師等のアドバイスに基づいて、ユーザは自身の体調や、目標等により適合した栄養補助食品をカスタマイズすることができる。
【００８０】
また、上記各実施例では、製造装置２０として、栄養補助食品の製造と包装を個装袋の印刷、包装、宛名印刷まで一貫して行う装置を用いているが、これに限定されることはない。製造と個装までを行う装置を用いることもできる。また、製造装置として、材料を混ぜる機械、打錠機械、オーブン等の既存の装置を組み合わせて用いることもでき、設備投資費用を低く抑えることができる。
【００８１】
また、栄養補助食品に使用する栄養補助成分やその他の成分の原料も、実施例で提示したものに限定されることはなく、提示した以外の栄養補助成分等を用いることができる。また、上記実施例１ではバー状食品を提供し、実施例２ではサプリメントを提供しているが、バー状食品とサプリメントの双方を提供するシステムとすることもできる。
【符号の説明】
【００８２】
１  バー状食品提供システム（栄養補助食品の提供システム）
２  通信ネットワーク
１０  提供装置（提供部）
３０  携帯端末（ユーザ端末）
３０ａ  スマートフォン（ユーザ端末）
３０ｂ  ノートＰＣ（ユーザ端末）
１０１  情報受付部
１０２  レシピ生成部
１０３  製造指示部
１０４  情報送信部
１０５  製品発送対応部
１０６  記憶部
【図１】
2018045578.tif 000003
【図２】
2018045578.tif 000004
【図３】
2018045578.tif 000005
【図４】
2018045578.tif 000006
【図５】
2018045578.tif 000007
【図６】
2018045578.tif 000008
【図７】
2018045578.tif 000009
【図８】
2018045578.tif 000010
【図９】
2018045578.tif 000011
【図１０】
2018045578.tif 000012
【図１１】
2018045578.tif 000013